(57)【要約】      （修正有）【課題】盛土式根圏制御栽培法に適した、簡便かつ安価で風にも強く揺れない果樹の支持構造及びこれに用いるＹ字仕立用誘引パイプの提供。【解決手段】盛土式根圏制御栽培法に係る複数の盛土列（一定間隔で直線的に複数の盛土を配置した領域）を有する果樹園に適した、少なくとも下記の部材からなる果樹の支持構造であり、両端縦パイプ１、両端横パイプ２，Ｙ字仕立用両端誘引パイプ、縦パイプ同士の固定用パイプ、補強用支持パイプ、中間縦パイプ６、中間横パイプ、Ｙ字仕立用中間誘引パイプ、ワイヤ９、固定ベース、縦パイプ同士の間に設けた盛土列１１から構成されている。ワイヤ９は左右方向に果樹園の端まで伸びており、その端部は果樹園全体を覆う防鳥ネット用支柱に固定されている。【選択図】図１
2018201458.tif 000002
【特許請求の範囲】
【請求項１】
盛土式根圏制御栽培法に係る複数の盛土列（一定間隔で直線的に複数の盛土を配置した領域）を有する果樹園に適した、少なくとも下記の部材からなる果樹の支持構造。
＜１＞各盛土列１１の両端のすぐ外側に設けた、直立する両端縦パイプ１
＜２＞それぞれの端の全部の両端縦パイプ１と、両端縦パイプ１の上端近傍で固定具を用いて結合させた、盛土列１１と直交する方向の両端横パイプ２
＜３＞前記両端横パイプ２に対し地面から斜めに結合させた補強用支持パイプ５
＜４＞盛土列１１に一定間隔で設けた、直立する中間縦パイプ６
＜５＞前記両端縦パイプ１及び中間縦パイプ６の地面から半分位の高さの所で、盛土列１１に直交する左右両方向に、斜め上方に伸びるように且つ上端が前記両端縦パイプ１及び中間縦パイプ６よりも高い位置となるようにボルトで固定されたＹ字仕立用両端誘引パイプ３及びＹ字仕立用中間誘引パイプ８〔前記Ｙ字仕立用両端誘引パイプ３の上端部は、前記両端横パイプ２に固定されている。また、前記各誘引パイプの固定部は、その内側にパイプの上端部から侵入した雨水などが固定部側の端部から流出できるような隙間（溝）を有する状態で扁平に押し潰された形状・構造を有する〕
＜６＞前記Ｙ字仕立用中間誘引パイプ８の上端部を固定するためのパイプ又はワイヤ
＜７＞前記両端縦パイプ１、中間縦パイプ６及び補強用支持パイプ５を地面に固定するための固定ベース１０
＜８＞各盛土列１１に設けた、両端縦パイプ１及び中間縦パイプ６を相互に結合するための固定用パイプ４
＜９＞前記両端縦パイプ１及び中間縦パイプ６の頂部に設けた固定用キャップを介して縦横に張り巡らされたワイヤ９（盛土列と直交する方向のワイヤの端は防鳥ネット用のパイプに固定）
【請求項２】
前記Ｙ字仕立用中間誘引パイプ８の上端部を固定するためのパイプとして、盛土列１１と直交する方向の中間縦パイプ６の各列の全部の中間縦パイプ６と、中間縦パイプ６の上端近傍で固定具を用いて結合させた、盛土列１１と直交する方向の両端横パイプ７を設けた請求項１記載の果樹の支持構造。
【請求項３】
一方の端部に固定用扁平部１３とボルト固定用の孔１４を有し、該固定用扁平部１３は、その内側に、他方の端部から侵入した雨水などが固定用扁平部１３の端部から流出できる隙間（溝）が残るように押し潰された形状・構造を有するＹ字仕立用誘引パイプ。
【発明の詳細な説明】
【技術分野】
【０００１】
本発明は盛土式根圏制御栽培法に適した果樹の支持構造及びこれに用いるＹ字仕立用誘引パイプに関する。
【背景技術】
【０００２】
盛土式根圏制御栽培法は栃木県農業試験場で開発された公知の方法である（特許文献１及び非特許文献１参照）。その概要は、根域制限栽培法を改良し、培土中に多量の密集した細根を発生させて樹勢を維持できるようにした上で、果樹類の品種に応じて生育時期で異なる適量の潅水を、水不足状態にならないように管理することにより、植え付け当初から均一で高品質な果実を多量に得ることができると共に、果樹園全体でも高品質な果実を高収量で安定して得ることができる方法である。
また、一般的な果樹栽培では栽培棚を用いることが多いが（例えば特許文献２など）、盛土式根圏制御栽培法では果樹の高さを低く制御するので栽培棚を必要としない。
【先行技術文献】
【特許文献】
【０００３】
【特許文献１】特開２００５−２０４６６２号公報
【特許文献２】特開２０１４−０９７０２１号公報
【非特許文献】
【０００４】
【非特許文献１】新技術シリーズ（次世代のなし栽培法［盛土式根圏制御栽培法導入マニュアル］）  栃木県農業試験場（根圏制御栽培法実証グループ）平成２８年２月発行
【発明の概要】
【発明が解決しようとする課題】
【０００５】
例えば梨の栽培の場合、従来は高さ１．７〜１．８ｍ以上の位置に実を生らせていたため栽培棚を必要とし、かつ、剪定、芽かき、摘蕾、摘花、受粉、摘果、袋かけ、収穫などの作業を、脚立を用いて長時間行う必要があった。
これに対し、前記盛土式根圏制御栽培法では、ビニルシートと遮根シートの上に培土を盛土して地面から隔離し、養水分を管理し生育を制御する。また、果樹の枝はＹ字仕立（Ｙ字形の誘引パイプに枝を結ぶ形式）とし、高さ０．９〜１．８ｍの位置に実を生らせるので、腰から目の高さ程度の作業が殆ど（９０％程度）となり、作業負担が大幅に軽減されると共に作業効率が顕著に向上する。また、日当たりが良くなり糖度が増し収量が大幅に向上する。更に、大掛かりな栽培棚を必要としないため設備費用も削減できる。
しかし、樹高が低いとはいえ、非特許文献１に記載されている支持構造では強風などに対して十分とは言えない。
そこで本発明は、盛土式根圏制御栽培法に適した、簡便かつ安価で風にも強く揺れない果樹の支持構造及びこれに用いるＹ字仕立用誘引パイプの提供を目的とする。
【課題を解決するための手段】
【０００６】
上記課題は、次の１）〜３）の発明によって解決される。
１）  盛土式根圏制御栽培法に係る複数の盛土列（一定間隔で直線的に複数の盛土を配置した領域）を有する果樹園に適した、少なくとも下記の部材からなる果樹の支持構造。
＜１＞各盛土列１１の両端のすぐ外側に設けた、直立する両端縦パイプ１
＜２＞それぞれの端の全部の両端縦パイプ１と、両端縦パイプ１の上端近傍で固定具を用いて結合させた、盛土列１１と直交する方向の両端横パイプ２
＜３＞前記両端横パイプ２に対し地面から斜めに結合させた補強用支持パイプ５
＜４＞盛土列１１に一定間隔で設けた、直立する中間縦パイプ６
＜５＞前記両端縦パイプ１及び中間縦パイプ６の地面から半分位の高さの所で、盛土列１１に直交する左右両方向に、斜め上方に伸びるように且つ上端が前記両端縦パイプ１及び中間縦パイプ６よりも高い位置となるようにボルトで固定されたＹ字仕立用両端誘引パイプ３及びＹ字仕立用中間誘引パイプ８〔前記Ｙ字仕立用両端誘引パイプ３の上端部は、前記両端横パイプ２に固定されている。また、前記各誘引パイプの固定部は、その内側にパイプの上端部から侵入した雨水などが固定部側の端部から流出できるような隙間（溝）を有する状態で扁平に押し潰された形状・構造を有する〕
＜６＞前記Ｙ字仕立用中間誘引パイプ８の上端部を固定するためのパイプ又はワイヤ
＜７＞前記両端縦パイプ１、中間縦パイプ６及び補強用支持パイプ５を地面に固定するための固定ベース１０
＜８＞各盛土列１１に設けた、両端縦パイプ１及び中間縦パイプ６を相互に結合するための固定用パイプ４
＜９＞前記両端縦パイプ１及び中間縦パイプ６の頂部に設けた固定用キャップを介して縦横に張り巡らされたワイヤ９（盛土列と直交する方向のワイヤの端は防鳥ネット用のパイプに固定）
２）  前記Ｙ字仕立用中間誘引パイプ８の上端部を固定するためのパイプとして、盛土列１１と直交する方向の中間縦パイプ６の各列の全部の中間縦パイプ６と、中間縦パイプ６の上端近傍で固定具を用いて結合させた、盛土列１１と直交する方向の両端横パイプ７を設けた１）記載の果樹の支持構造。
３）  一方の端部に固定用扁平部１３とボルト固定用の孔１４を有し、該固定用扁平部１３は、その内側に、他方の端部から侵入した雨水などが固定用扁平部１３の端部から流出できる隙間（溝）が残るように押し潰された形状・構造を有するＹ字仕立用誘引パイプ。
【発明の効果】
【０００７】
本発明によれば、盛土式根圏制御栽培法に適した、簡便かつ安価で風にも強く揺れない果樹の支持構造及びこれに用いるＹ字仕立用誘引パイプを提供できる。また、鉄製パイプ、固定ベース及びワイヤを主な材料とする簡素な構造のため、材料費や工事費が安く組み立ても簡単で、場合によっては職人に頼まず自分で組み立てることも可能である。
【図面の簡単な説明】
【０００８】
【図１】ワイヤ９を張り巡らせた果樹園を上方から見た概要図。
【図２】果樹園の両端部の一部を外側から見た概要図。
【図３】１つの盛土列１１の一部を盛土列と直交する方向から見た概要図。
【図４】果樹園の中間部の中間縦パイプ６、中間横パイプ７及びＹ字仕立用中間誘引パイプ８の関係を示す概要図。
【図５】盛土１２の標準的な形状及び大きさを示す図。
【図６】Ｙ字仕立用両端誘引パイプ３及びＹ字仕立用中間誘引パイプ８として用いるパイプの形状を示す図。（Ａ）太いパイプ、（Ｂ）細いパイプ、（Ｃ）太いパイプの固定部の部分拡大図、（Ｄ）細いパイプの固定部の部分拡大図。
【発明を実施するための形態】
【０００９】
以下、上記本発明について詳しく説明する。
図１は、本発明に係るワイヤを張り巡らせた果樹園を上方から見た概要図である。
１は両端縦パイプ、２は両端横パイプ、６は中間縦パイプ、９はワイヤ、１１は縦パイプ同士の間に設けた盛土列、即ち、一定間隔で複数の盛土１２が設置されている領域である。ワイヤは図１の左右方向に果樹園の端まで伸びているが、その端部は果樹園全体を覆う防鳥ネット用支柱（図示省略）に固定されている。なお、防鳥ネットは果樹園における必須かつ周知慣用の手段である。また、後述するＹ字仕立用両端誘引パイプ３、補強用支持パイプ５、Ｙ字仕立用中間誘引パイプ８は他の部材と空間的に重なるため図示を省略した。
【００１０】
ワイヤは、両端縦パイプ及び中間縦パイプの頂部に取り付けたワイヤ固定用のキャップの十字溝を通すことにより、位置ズレを起こさないように固定して縦横に張り巡らせる。盛土列方向のワイヤは２本の両端縦パイプの間で、盛土列と直交する方向のワイヤは端部に設けた２本の防鳥ネット用支柱の間で、それぞれ引っ張られているため溝から外れることはなく、これにより果樹園全体の縦パイプが共同して強風などに対抗できるので、非常に頑丈な果樹の支持構造となる。なお、ワイヤ固定用キャップの一例の写真を物件提出書に添付して提出した。
ワイヤの種類は特に限定されず、強度を考慮して市販品の中から適宜選択すればよいが、一例として、１．６ｍｍの針金を７本撚り合わせたものが挙げられる。
通常の場合、両端縦パイプ１同士の間隔、即ち盛土列同士の間隔は２．５ｍ程度とする。また、盛土列の方向の縦パイプ同士の間隔は４ｍ程度とし、その間に２個の盛土を２ｍ程度の間隔で設置する。しかし、これらの間隔は果樹の種類や現場の状況次第で適宜変更可能である。
【００１１】
図２は、果樹園の両端部の一部を外側から見た概要図、図３は、１つの盛土列の一部を盛土列と直交する方向から見た概要図、図４は、果樹園の中間部の中間縦パイプ、中間横パイプ及びＹ字仕立用中間誘引パイプの関係を示す概要図である。なお、理解し易くするため、本発明の実施態様に関する写真を物件提出書に添付して提出した。
１は両端縦パイプ、２は両端横パイプ、３はＹ字仕立用両端誘引パイプ、４は縦パイプ同士の固定用パイプ、５は補強用支持パイプ、６は中間縦パイプ、７は中間横パイプ、８はＹ字仕立用中間誘引パイプ、９はワイヤ、１０は固定ベース、１２は盛土である。
１．８ｍ以下の低い位置に実を生らせる関係上、両端横パイプ２及び中間横パイプ７の高さは１．８ｍ前後とする。
パイプは鉄製のものでよく、使用箇所に応じて直径１５〜５５ｍｍφ程度のものの中から適宜選択して用いる。長さも使用箇所に応じて適宜選択すればよいが、両端横パイプ２は取り扱い易さなどを考慮すると４〜５ｍ程度のものが好ましい。両端縦パイプ１と中間縦パイプ６の上端は、両端横パイプ２の高さよりも高くする必要があり、長さ２ｍ程度のものが適当である。
Ｙ字仕立用両端誘引パイプ３は、両端縦パイプ１の高さ０．９ｍ程度の位置に、４５°程度の角度で上方に向うように固定する。そして隣接する２本のＹ字仕立用両端誘引パイプ３の上端がほぼ同じ位置にくるように長さを調整する。
中間縦パイプ６とＹ字仕立用中間誘引パイプ８についても上記と同様の構造にして両者を固定する。
なお、図４には、より確実に固定できる例として、Ｙ字仕立用中間誘引パイプ８の上端近傍を中間横パイプ７に固定する例を示したが、固定方法はこれに限定されるわけではなく、ワイヤを用いて周囲の各種パイプなどに固定する方法を採用してもよい。
【００１２】
本発明ではＹ字仕立用両端誘引パイプ３及びＹ字仕立用中間誘引パイプ８として図６に示すような、扁平に押し潰した固定部を一方の端部に有する特殊な形状のものを用いる。（Ａ）はＹ字仕立用両端誘引パイプ３用の太いもの、（Ｂ）はＹ字仕立用中間誘引パイプ８用の細いものを示し、（Ｃ）は（Ａ）のパイプの固定部の部分拡大図、（Ｄ）は（Ｂ）のパイプの固定部の部分拡大図である。１３は固定用扁平部、１４はボルト固定用の孔、１５は管状部から扁平部に移行する傾斜部を示す。
パイプ（Ａ）の径は４０〜５０ｍｍφ程度、パイプ（Ｂ）の径は２０〜３０ｍｍ程度、長さは何れも２ｍ程度とするが、状況に応じて適宜変更可能である。
上記扁平に押し潰した固定部は、パイプの上端部から侵入した雨水などが内側に形成された隙間（溝）を通って固定部側の端部から流出できるように、該隙間（溝）を残しつつ扁平に押し潰した形状・構造を有する点に特徴があり、これにより、パイプ内に雨水などが溜まらないため、鉄製パイプの錆による劣化を大幅に防止できる。
固定用扁平部は、プレス機を用いて適切な圧力でプレスすることにより作製することができる。例えばアイダエンジニアリング社製の８０ｔ用プレス機（ＡＩＤＡ８）を用いて７５ｔ程度の圧力でプレスすると、前記形状・構造の扁平部を形成することができる。
【００１３】
また、Ｙ字仕立用誘引パイプが扁平な固定部を有する本発明では、縦パイプと２本のＹ字仕立用誘引パイプの固定部をボルトで一箇所に固定することができるので、従来のような全体が円筒形のＹ字仕立用誘引パイプ２本をクロスワンやクランプなどの固定具により縦パイプに固定する方法に比べて、以下のような多くの利点がある。
（１）結合部の構造が単純かつボルトで固定できるため、安価（従来の１／３〜１／４）であり、作業の手間も掛からない。即ち、従来は作業に８人を要したが、本発明は２人でできる。
（２）パイプは鉄製で相当重く、縦パイプと２本の誘引パイプを、構造が複雑な固定具で固定する作業は職人でなければできないが、本発明はボルトで固定するだけなので素人でもできる。
（３）従来は固定具を用いるため、誘引パイプを固定する際にパイプの角度を自由に設定できなかったが、本発明ではボルトで固定するため、かなり自由に角度を設定できる。
（４）従来は、縦パイプを挟んで反対側に１本づつ誘引パイプを固定するため、２本の誘引パイプの固定位置にズレが生じ、その結果、果樹を誘引する際に果樹の枝を曲げたり捻ったりする必要があって、果樹へのダメージが大きい上に、作業にも手間がかかった。
これに対し、本発明では、固定部が扁平のため２本の誘引パイプを縦パイプの一方の側に一緒に固定できることから、従来のような固定位置のズレは生じず、果樹の枝を曲げたり捻ったりすることなくスムーズに誘引することができ、作業が簡単であると共に、果樹へのダメージを軽減できる。
【００１４】
縦パイプ同士の固定用パイプ４は、両端縦パイプ１と複数の中間縦パイプ６を一体化して強度を上げるためのものであり、これらが交差する位置で適当な固定具（クロスワン、クランプなど）を用いて固定する。
補強用支持パイプ５は両端部の構造を補強するためのものであり、両端縦パイプ１に隣接する位置に斜めに設置し、適当な固定具（クロスワン、クランプなど）で上部を両端横パイプ２に固定する。
両端縦パイプ１、中間縦パイプ６、補強用支持パイプ５は、それぞれ固定ベースで地面に固定する。固定ベースは一般的なものでよく、例えば、縦横約３０ｃｍ、高さ約２ｃｍで、中央に約５ｃｍの突起を有する鉄製のものが市販されており、施工の際に、中央の突起にパイプを指し込むと固定されるように設計されている。
盛土の部分は、標準仕様として、地面に敷いたビニルシートの上に遮根シートを敷き、その上に高さ３０ｃｍ程度の台形状の盛土を形成する。盛土の標準的な形状及び大きさを図５に示す。盛土同士の間隔は通常２ｍ程度とする。
本発明は、梨、葡萄、林檎、桃、桜桃などの各種果樹園に好適である。
【符号の説明】
【００１５】
１  両端縦パイプ
２  両端横パイプ
３  Ｙ字仕立用両端誘引パイプ
４  縦パイプ同士の固定用パイプ
５  補強用支持パイプ
６  中間縦パイプ
７  中間横パイプ
８  Ｙ字仕立用中間誘引パイプ
９  ワイヤ
１０  固定ベース
１１  盛土列（複数の盛土が設置されている領域）
１２  盛土
１３  誘引パイプの固定用扁平部
１４  ボルト固定用の孔
１５  管状部から扁平部に移行する傾斜部
【図１】
2018201458.tif 000003
【図２】
2018201458.tif 000004
【図３】
2018201458.tif 000005
【図４】
2018201458.tif 000006
【図５】
2018201458.tif 000007
【図６】
2018201458.tif 000008